(57)【特許請求の範囲】
【請求項１】
エンジンと、
前記エンジンから駆動輪への駆動系に設けられ、前記駆動輪の駆動を行うモータと、
前記エンジンと前記モータの間に介装され、前記エンジンと前記モータとを断接する第１摩擦要素と、
前記モータと前記駆動輪の間に介装され、前記モータと前記駆動輪とを断接する第２摩擦要素と、
前記駆動輪のスリップ又は前記駆動輪のスリップ可能性を検出するスリップ検出手段と、
前記スリップ検出手段により前記駆動輪のスリップ又は前記駆動輪のスリップ可能性が検出されたとき、前記第１摩擦要素を開放すると共に前記第２摩擦要素をスリップ締結し、前記第２摩擦要素を介して伝達される駆動力で走行するモータ使用スリップ走行モードを禁止し、前記第１摩擦要素を締結すると共に前記第２摩擦要素をスリップ締結し、前記第２摩擦要素を介して伝達される駆動力で走行するエンジン使用スリップ走行モードに設定する走行モード制御手段と、
を備えることを特徴とするハイブリッド車両の制御装置。
【請求項２】
請求項１に記載されたハイブリッド車両の制御装置において、
車体速度を検出する車体速度検出手段を備え、
前記走行モード制御手段は、前記モータ使用スリップ走行モード禁止中に、前記車体速度が所定値以上になったら、前記モータ使用スリップ走行モードへのモード移行を可能とすることを特徴とするハイブリッド車両の制御装置。
【請求項３】
請求項１に記載されたハイブリッド車両の制御装置において、
前記第２摩擦要素の温度を検出する第２摩擦要素温度検出手段を備え、
前記走行モード制御手段は、前記モータ使用スリップ走行モード禁止中に、前記第２摩擦要素の温度が所定値以上になったら、前記モータ使用スリップ走行モードへのモード移行を可能とすることを特徴とするハイブリッド車両の制御装置。
【発明の詳細な説明】
【技術分野】
【０００１】
本発明は、走行モードとしてエンジン使用スリップ走行モードとモータ使用スリップモードを有するハイブリッド車両の制御装置に関するものである。
【背景技術】
【０００２】
従来、車両負荷が所定値以上のとき、エンジンを作動させた状態で、エンジンとモータの間に介装された第１摩擦要素を開放し、モータ回転数をエンジン回転数よりも低い回転数に設定して、モータと駆動輪の間に介装された第２摩擦要素をスリップ締結させるハイブリッド車両の制御装置が知られている（例えば、特許文献１参照）。
【先行技術文献】
【特許文献】
【０００３】
【特許文献１】特開2009-132195号公報
【発明の概要】
【発明が解決しようとする課題】
【０００４】
しかしながら、従来のハイブリッド車両の制御装置にあっては、モータ回転数がエンジン回転数よりも低く設定することから、第２摩擦要素のスリップ回転数が低くなる。このため、路面μの低い走行路面下等において駆動輪がスリップすると、第２摩擦要素のスリップ締結状態が維持できないことがあった。
すなわち、第２摩擦要素のスリップ量が小さいため、駆動輪の回転数が急上昇すると第２摩擦要素における差回転が小さくなりすぎてモータと駆動輪が直結状態になってしまうという問題があった。
【０００５】
本発明は、上記問題に着目してなされたもので、駆動輪のスリップ可能状態を検出したとき、モータと駆動輪の間に介装した第２摩擦要素のスリップ状態を維持することができるハイブリッド車両の制御装置を提供することを目的とする。
【課題を解決するための手段】
【０００６】
上記目的を達成するため、本発明のハイブリッド車両の制御装置では、エンジンと、モータと、第１摩擦要素と、第２摩擦要素と、スリップ検出手段と、走行モード制御手段と、を備える構成とした。
前記モータは、前記エンジンから駆動輪への駆動系に設けられ、前記駆動輪の駆動を行う。
前記第１摩擦要素は、前記エンジンと前記モータの間に介装され、前記エンジンと前記モータとを断接する。
前記第２摩擦要素は、前記モータと前記駆動輪の間に介装され、前記モータと前記駆動輪とを断接する。
前記スリップ検出手段は、前記駆動輪のスリップ可能状態を検出する。
前記走行モード制御手段は、前記スリップ検出手段により前記駆動輪のスリップ可能状態が検出されたとき、前記第１摩擦要素を開放すると共に前記第２摩擦要素をスリップ締結し、前記第２摩擦要素を介して伝達される駆動力で走行するモータ使用スリップ走行モードを禁止し、前記第１摩擦要素を締結すると共に前記第２摩擦要素をスリップ締結し、前記第２摩擦要素を介して伝達される駆動力で走行するエンジン使用スリップ走行モードに設定する。
【発明の効果】
【０００７】
よって、駆動輪のスリップ可能状態が検出されたとき、走行モード制御手段により、モータ使用スリップ走行モードが禁止され、エンジン使用スリップ走行モードが設定される。
すなわち、モータ使用スリップ走行モードを禁止して、エンジン使用スリップ走行モードに設定することで、第２摩擦要素におけるスリップ量が大きくなる。そのため、駆動輪がスリップして駆動輪の回転数が急上昇しても、第２摩擦要素における差回転は確保される。
この結果、駆動輪のスリップ可能状態を検出したとき、モータと駆動輪の間に介装した第２摩擦要素のスリップ状態を維持することができる。
【図面の簡単な説明】
【０００８】
【図１】実施例１の制御装置が適用されたハイブリッド車両のパワートレインを示すパワートレイン構成図である。
【図２】実施例１の制御装置が適用されたハイブリッド車両の制御システムを示す制御システム構成図である。
【図３】実施例１の統合コントローラを示す演算ブロック図である。
【図４】実施例１の制御装置で用いられるマップ図であり、(a)は目標定常トルクマップを示し、(b)はMGアシストトルクマップを示す。
【図５】実施例１の制御装置で用いられるモードマップ選択部の選択ロジックを表す概略図である。
【図６】実施例１の制御装置で用いられるモードマップのうち、通常モードマップを示す。
【図７】実施例１の制御装置で用いられるモードマップのうち、MWSC対応モードマップを示す。
【図８】実施例１の制御装置で用いられるバッテリSOCに対する走行中要求発電出力を示す特性図である。
【図９】実施例１の制御装置で用いられるエンジンの最適燃費線を示す特性図である。
【図１０】実施例１の自動変速機における変速線の一例を示す変速マップ図である。
【図１１】実施例１の統合コントローラにて実行される走行モード制御処理の流れを示すフローチャートである。
【図１２】WSCモードにおけるエンジン回転数・モータジェネレータ回転数・出力軸回転数×１速ギヤ比の特性を示す図であり、(a)は通常時WSCモードを示し、(b)はスリップ時WSCモードを示す。
【図１３】MWSCモードにおけるエンジン回転数・モータジェネレータ回転数・出力軸回転数×１速ギヤ比の特性を示す図であり、(a)は通常時MWSCモードを示し、(b)はスリップ時MWSCモードを示す。
【図１４】実施例１の制御装置が適用されたハイブリッド車両でのMWSCモード時にスリップが発生した時に走行モード制御を行う場合の走行モード・MWSC禁止判定・駆動輪スリップ判定・Eng回転数・MG回転数・車速MG軸換算回転数・駆動輪MG軸換算回転数・CL2温度の各特性を示すタイムチャートである。
【図１５】実施例１の統合コントローラにて実行される走行モード制御処理の第１変形例の流れを示すフローチャートである。
【図１６】実施例１の統合コントローラにて実行される走行モード制御処理の第２編敬礼の流れを示すフローチャートである。
【発明を実施するための形態】
【０００９】
以下、本発明のハイブリッド車両の制御装置を実現する最良の形態を、図面に示す実施例１に基づいて説明する。
【実施例１】
【００１０】
まず、構成を説明する。
図１は、実施例１の制御装置が適用されたハイブリッド車両のパワートレインを示すパワートレイン構成図である。以下、図１に基づきパワートレイン構成を説明する。
【００１１】
実施例１のハイブリッド車両のパワートレインは、図１に示すように、エンジン１と、モータジェネレータ（モータ）２と、自動変速機３と、第１クラッチ（第１摩擦要素）４と、第２クラッチ（第２摩擦要素）５と、ディファレンシャルギア６と、タイヤ（駆動輪）７，７と、を備えている。
【００１２】
実施例１のハイブリッド車両は、エンジンと１モータ・２クラッチを備えたパワートレイン構成である。
【００１３】
前記エンジン１は、ガソリンエンジンやディーゼルエンジンであり、その出力軸とモータジェネレータ（略称MG）２の入力軸とが、第１クラッチ（略称CL1）４を介して連結される。
【００１４】
前記第１クラッチ４は、エンジン１とモータジェネレータ２の間に介装され、エンジン１とモータジェネレータ２とを断接するクラッチであり、締結油圧を制御することによって伝達トルク容量が可変する。この第１クラッチ４としては、例えば、ダイアフラムスプリングによる付勢力を保ち、ピストンを有する油圧アクチュエータを用いたストローク制御により完全締結〜スリップ締結〜完全解放までが制御されるノーマルクローズの乾式単板クラッチが用いられる。
【００１５】
前記モータジェネレータ２は、ロータに永久磁石を埋設しステータにステータコイルが巻き付けられた同期型モータであり、その出力軸と自動変速機（略称AT）３の入力軸とが連結される。
【００１６】
前記第２クラッチ５は、モータジェネレータ２とタイヤ７,７の間に介装され、モータジェネレータ２とタイヤ７,７とを断絶するクラッチであり、締結油圧を制御することによって伝達トルク容量が可変する。この第２クラッチ５としては、例えば、比例ソレノイドで油流量及び油圧を連続的に制御できるノーマルオープンの湿式多板クラッチや湿式多板ブレーキが用いられる。
【００１７】
前記自動変速機３は、有段の変速段を車速やアクセル開度等に応じて自動的に切り替える有段変速機であり、その出力軸にディファレンシャルギア６を介してタイヤ７,７が連結される。なお、実施例１では、前記第２クラッチ５として、自動変速機３とは独立の専用クラッチとして新たに追加したものではなく、自動変速機３の各変速段にて締結される複数の摩擦要素のうち、所定の条件に適合する摩擦要素（クラッチやブレーキ）を選択している。
【００１８】
前記自動変速機３の入力軸には、この入力軸により駆動される機械式オイルポンプ８が設けられている。そして、車両停止時等で機械式オイルポンプ８からの吐出圧が不足するとき、油圧低下を抑えるために電動モータにより駆動される電動サブオイルポンプ９がモータハウジング等に設けられている。
【００１９】
さらに、このパワートレインには、エンジン１の回転数を検出するエンジン回転センサ１０と、モータジェネレータ２の回転数を検出するMG回転センサ１１と、自動変速機３の入力軸回転数を検出するAT入力回転センサ１２と、自動変速機３の出力軸回転数を検出するAT出力回転センサ１３と、が設けられる。
【００２０】
そして、このハイブリッド車両は、駆動形態の違いによる走行モードとして、電気自動車モード（以下、「EVモード」という）と、ハイブリッド車モード（以下、「HEVモード」という）と、エンジン使用スリップ走行モード（以下、「WSCモード」という）とを、有する。
【００２１】
前記「EVモード」は、第１クラッチ４を解放状態とし、モータジェネレータ２の駆動力のみで走行するモードであり、モータ走行モード・回生走行モードを有する。この「EVモード」は、要求駆動力が低く、バッテリSOCが確保されているときに選択される。
【００２２】
前記「HEVモード」は、第１クラッチ４を締結状態として走行するモードであり、モータアシスト走行モード・発電走行モード・エンジン走行モードを有し、いずれかのモードにより走行する。なお、モータアシスト走行モードは、エンジン１とモータジェネレータ２の２つを駆動源として走行する。発電走行モードは、エンジン１を駆動源として走行すると同時に、エンジン１の動力を利用してモータジェネレータ２を発電機として動作させる。エンジン走行モードは、エンジン１の駆動力のみで走行する。この「HEVモード」は、要求駆動力が高いとき、あるいは、バッテリSOCが不足するようなときに選択される。
【００２３】
前記「WSCモード」は、第１クラッチ４の締結状態で、モータジェネレータ２の回転数制御により第２クラッチ５をスリップ締結させて走行するモードである。このとき、第２クラッチ５を経過するクラッチ伝達トルクが、車両状態や運転者操作に応じて決まる要求駆動トルクになるようにクラッチトルク容量をコントロールしながら走行する。この「WSCモード」は、「HEVモード」の選択状態での停車時・発進時・減速時等のように、エンジン回転数がアイドル回転数を下回るような走行領域において選択される。また、「WSCモード」では、特にバッテリSOCが低いときやエンジン水温が低いときであってもクリープ走行が達成可能である。
【００２４】
さらに、路面勾配が所定値以上における上り坂等で、運転者がアクセルペダルを調整し車両停止状態を維持するアクセルヒルホールド（ストール停車状態）が行われるような場合、WSCモードでは、第２クラッチ５のスリップ量が過多の状態が継続されるおそれがある。エンジン１の回転数をアイドル回転数以下にすることができないからである。そこで、実施例１ハイブリッド車両では、エンジン１を作動させたまま第１クラッチ４を解放し、モータジェネレータ２の回転数制御により第２クラッチ５をスリップ締結させて走行するモータスリップ走行モード（以下、「MWSCモード」という）を有する。この「MWSCモード」では、モータジェネレータ２のみを駆動源として走行し、モータジェネレータ２の回転数をエンジン１のアイドル回転数よりも低い回転数に設定する。このとき、エンジン１は、アイドル回転数を目標回転数とするフィードバッグ制御に切り替える。
【００２５】
図２は、実施例１の制御装置が適用されたハイブリッド車両の制御システムを示す制御システム構成図である。以下、図２に基づいて制御システム構成を説明する。
【００２６】
実施例１の制御システムは、図２に示すように、統合コントローラ３０と、エンジンコントローラ３１と、モータコントローラ３２と、サブポンプコントローラ３３と、インバータ３４と、バッテリ３５と、CL1用ソレノイドバルブ１４と、CL2用ソレノイドバルブ１５と、アクセル開度センサ１６と、Ｇセンサ１７と、車輪速センサ（車体速度検出手段）１８と、CL2温度センサ（第２摩擦要素温度検出手段）１９と、電圧センサ２０と、電流センサ２１と、を備えている。
【００２７】
前記統合コントローラ３０は、パワートレイン系の動作点を統合制御する。この統合コントローラ３０では、アクセル開度APOと車速VSP（自動変速機出力軸回転数に比例）とバッテリ充電状態SOC（バッテリ出力電圧及び出力電流から換算）と、に応じて、運転者が望む駆動力を実現できる走行モードを設定する。そして、エンジンコントローラ３１に目標エンジントルクを指令し、モータコントローラ３２に目標MGトルクもしくは目標MG回転数を指令し、サブポンプコントローラ３３に所定の駆動信号を指令し、CL1用ソレノイドバルブ１４及びCL2用ソレノイドバルブ１５に所定の駆動信号を指令する。
【００２８】
前記エンジンコントローラ３１は、エンジン１を制御する。前記モータコントローラ３２は、モータジェネレータ２を制御する。前記サブポンプコントローラ３３は、電動サブオイルポンプ９を駆動する電動モータを制御する。前記インバータ３４は、モータジェネレータ２及び上記電動モータを駆動する。前記バッテリ３５は、電気エネルギーを蓄える。
【００２９】
さらに、前記CL1用ソレノイドバルブ１４は、第１クラッチ４の油圧を制御する。前記CL2用ソレノイドバルブ１５は、第２クラッチ５の油圧を制御する。前記アクセル開度センサ１６は、アクセル開度(APO)を検出する。前記Ｇセンサ１７は、車両に作用する前後加速度を検出する。前記車輪速センサ１８は、４輪の各車輪速を検出する。前記CL2温度センサ１９は、第２クラッチ５の温度を検出する。前記電圧センサ２０は、バッテリ３５からの出力電圧を検出する。前記電流センサ２１は、バッテリ３５からの出力電流を検出する。
【００３０】
図３は、実施例１の統合コントローラを示す演算ブロック図である。以下、図３に基づいて統合コントローラの構成を説明する。
【００３１】
前記統合コントローラ３０は、図３に示すように、目標駆動トルク演算部100と、モード選択部200と、目標発電出力演算部300と、動作点指令部400と、変速制御部500と、を備えている。
【００３２】
前記目標駆動トルク演算部100は、図４(a)に示す目標定常トルクマップと、図４(b)に示すMGアシストトルクマップを用いて、アクセル開度APOと車速VSPから、目標定常トルクとMGアシストトルクを算出する。
【００３３】
前記モード選択部200は、路面勾配推定部201と、モードマップ選択部202と、を有し、選択されたモードマップを用いて、アクセル開度APOと車速VSPから、走行モードを演算する。
【００３４】
前記路面勾配推定部201は、Ｇセンサ１７の検出値と、車輪速センサ１８の車輪速加速度平均値等から演算した実加速度との偏差から路面勾配を推定する。前記モードマップ選択部202は、路面勾配推定部201により推定された路面勾配に基づいて、所定のモードマップを選択する。このモードマップとしては、通常モードマップと、MWSC対応モードマップと、を有する。
【００３５】
図５は、モードマップ選択部の選択ロジックを表す概略図である。図６は、通常モードマップを示し、図７は、MWSC対応モードマップを示す。
【００３６】
前記モードマップ選択部202は、通常モードマップ（図６）が選択されている状態から推定勾配が所定値g2以上になると、MWSC対応モードマップに選択を切り替える。一方、MWSC対応モードマップ（図７）が選択されている状態から推定勾配が所定値g1（＜g2）未満になると、通常モードマップに選択を切り替える。すなわち、推定勾配に対してヒステリシスを設け、マップ切替時の制御ハンチングを防止する。
【００３７】
前記通常モードマップには、EV領域に存在する運転点（APO,VSP）が横切ると「HEVモード」へと切り替えるEV⇒HEV切替線と、HEV領域に存在する運転点（APO,VSP）が横切ると「EVモード」へと切り替えるHEV⇒EV切替線と、運転点（APO,VSP）が横切ると「HEVモード」と「WSCモード」を切り替えるHEV⇔WSC切替線と、が設定されている。
【００３８】
ここで、前記EV⇒HEV切替線と前記HEV⇒EV切替線は、EV領域とHEV領域を分ける線としてヒステリシス量を持たせて設定されている。但し、「EVモード」の選択中、バッテリSOCが所定値以下になると、強制的に「HEVモード」を目標走行モードとする。
【００３９】
また、前記HEV⇔WSC切替線は、自動変速機３が１速段のときに、エンジン１がアイドル回転数を維持する第１設定車速VSP1に沿って設定されている。但し、所定アクセル開度APO1以上の領域では、大きな駆動力を要求されることから、第１設定車速VSP1よりも高い第２設定車速VSP1´領域までWSC領域が設定されている。
すなわち、アクセル開度APOが大きいときの要求を、アイドル回転数付近のエンジン回転数に対応したエンジントルクとモータトルクで達成するのは困難な場合がある。ここで、エンジントルクは、エンジン回転数が上昇すればより多くのトルクを出力できる。このことから、エンジン回転数を引上げてより大きなトルクを出力させれば、例え第１設定車速VSP1よりも高い車速まで「WSCモード」であっても、短時間で「WSCモード」から「HEVモード」に移行することができる。この場合が図６に示す第２設定車速VSP1´まで広げられたWSC領域である。
【００４０】
前記MWSC対応モードマップは、EV領域が設定されていない点で通常モードマップとは異なる。このMWSCモードマップには、運転点（APO,VSP）が横切ると「HEVモード」と「WSCモード」を切り替えるHEV⇔WSC切替線と、運転点（APO,VSP）が横切ると「WSCモード」と「MWSCモード」を切り替えるWSC⇔MWSC切替線と、が設定されている。
【００４１】
ここで、WSC領域は、アクセル開度APOに拘らず領域を変更せず、HEV⇔WSC切替線は、第１設定車速VSP1に沿って設定されている。また、MWSC領域は、WSC領域内に設定されており、第１設定車速VSP1よりも低い第３設定車速VSP2と、所定アクセル開度APO1よりも高いアクセル開度APO2とで囲まれた領域となっている。なお、「MWSCモード」の詳細については後述する。
【００４２】
前記目標発電出力演算部300は、図８に示す走行中発電要求出力マップを用いて、バッテリSOCから目標発電出力を演算する。また、現在の動作点から図９で示す最適燃費線までエンジントルクを上げるために必要な出力を演算し、前記目標発電出力と比較して少ない出力を要求出力として、エンジン出力に加算する。
【００４３】
前記動作点指令部400では、アクセル開度APOと目標定常トルク，MGアシストトルクと目標走行モードと車速VSPと目標発電出力とを入力する。そして、これらの入力情報を動作点到達目標として、過渡的な目標エンジントルクと目標MGトルクと目標CL2トルク容量と目標ＡＴシフトとCL1ソレノイド電流指令を演算する。
【００４４】
前記変速制御部500は、目標CL2トルク容量と目標ＡＴシフトとから、これらを達成するように自動変速機３内のソレノイドバルブを駆動制御する。図１０に変速制御で用いられる変速線マップの一例を示す。車速VSPとアクセル開度APOから現在の変速段から次変速段をいくつにするか判定し、変速要求があれば変速クラッチを制御して変速させる。
【００４５】
次に、図１１に示すフローチャートを用いて、実施例１の統合コントローラにて実行される走行モード制御処理の流れを説明する。
【００４６】
ステップＳ１では、駆動輪であるタイヤ７,７がスリップしたか否かを判断し、YES（スリップ検出）の場合にはステップＳ２へ移行し、NO（スリップ未検出）の場合にはステップＳ４へ移行する。ここで、タイヤ７,７がスリップしたことは、車輪速センサ１８によって検出されたタイヤ７,７の車輪速と、AT出力回転センサ１３によって検出された自動変速機３の出力軸回転数に比例する車速VSPとの速度差ΔVに基づいて判断する。この速度差ΔVが所定値以上になったときには、車速VSPよりも車輪速が上回ったとして、スリップ発生と判断する。
【００４７】
ステップＳ２では、ステップＳ１での駆動輪スリップ発生との判断に続き、運転モードが「MWSCモード」に設定されることを禁止すると共に、強制的に「WSCモード」に設定し、ステップＳ３へ移行する。
【００４８】
ステップＳ３では、ステップＳ２での運転モード制御に続き、CL2温度センサ１９により検出された第２クラッチ５の温度が閾値温度以上になったか否かを判断し、YES（閾値温度以上）の場合にはステップＳ４へ移行し、NO（閾値温度未満）の場合にはステップＳ２を繰り返す。ここで、閾値温度とは、第２クラッチ５が過熱状態となる温度であり、この閾値温度以上になると第２クラッチ５の故障や劣化につながる温度である。
【００４９】
ステップＳ４では、ステップＳ３での第２クラッチ温度が閾値温度以上との判断に続き、「MWSCモード」へのモード移行を可能とする通常制御を実施し、エンドへ進む。ここで、この通常制御とは、通常モードマップ又はMWSC対応モードマップを用いて、アクセル開度APOと車速VSPから走行モードを演算する制御である。
【００５０】
次に、作用を説明する。
まず、「WSCモードについて」と「MWSCモードについて」の説明を行い、続いて、実施例１のハイブリッド車両の制御装置における「MWSC禁止制御作用」を説明する。
【００５１】
[WSCモードについて]
図１２は、WSCモードにおけるエンジン回転数・モータジェネレータ回転数・出力軸回転数×１速ギヤ比の特性を示す図であり、(a)は通常時WSCモードを示し、(b)はスリップ時WSCモードを示す。
【００５２】
「WSCモード」とは、エンジン１が作動している状態に特徴があり、要求駆動力変化に対する応答性が高い。具体的には、第１クラッチ４を完全締結し、第２クラッチ５を要求駆動力に応じた伝達トルク容量としてスリップ制御し、エンジン１及びモータジェネレータ２の駆動力を用いて走行する。
【００５３】
ここで、実施例１に示すようなハイブリッド車両では、トルクコンバータのように回転数差を吸収する要素が存在しない。そのため、図１２(a)に示すように、エンジン１からの出力回転数（Eng回転数）とモータジェネレータ２からの出力回転数（MG回転数）は一致する。一方、自動変速機３の出力軸に変速ギヤ比（ここでは１速ギヤ比）を積算した値（＝駆動輪回転数相当値）は、第２クラッチ５における伝達トルク容量に応じて変化する。
【００５４】
このとき、エンジン１には自立回転を維持するためのアイドリング回転数による下限値が存在する。すなわち、Eng回転数及びMG回転数は、上記下限値以下に設定することができない。そのため、この下限値に相当する車速よりも低車速領域とするためには、第２クラッチ５のスリップ量ΔCL2が大きくなる。
【００５５】
そして、このような「WSCモード」中に駆動輪がスリップしたとする。このとき、図１２(b)に示すように、自動変速機３の出力軸に変速ギヤ比（ここでは１速ギヤ比）を積算した値（＝駆動輪回転数相当値）は、スリップにより急上昇する。これに対し、スリップ時に、第２クラッチ５のスリップ量ΔCL2が大きくなっているため、駆動輪回転数が急上昇してもモータジェネレータ２と駆動輪が直結することはない。つまり、第２クラッチ５のスリップ状態を保つことができる。
【００５６】
このように、第２クラッチ５のスリップ状態を維持するため、第２クラッチ５の締結力のみで駆動力を制御でき、第２クラッチ５における伝達トルク容量を維持することができる。これにより、駆動輪はスリップ状態からグリップ状態に復帰でき、車両挙動の乱れを防止することができる。
【００５７】
[MWSCモードについて]
図１３は、MWSCモードにおけるエンジン回転数・モータジェネレータ回転数・出力軸回転数×１速ギヤ比の特性を示す図であり、(a)は通常時MWSCモードを示し、(b)はスリップ時MWSCモードを示す。
【００５８】
路面勾配が大きい勾配路において、例えば、ブレーキペダル操作を行うことなく車両を停止状態又は微速発進状態に維持しようとすると、平坦路と比べて大きな駆動力が要求される。すなわち、第２クラッチ５における伝達トルク容量は、平坦路の場合よりも大きくなる。このとき「WSCモード」であると、第２クラッチ５は強い締結力でのスリップ状態を継続することになり、発熱量が過剰になってクラッチ耐久性の低下を招くことが考えられる。また、車速の上昇もゆっくりになることから、「HEVモード」への移行までに時間がかかり、さらに発熱するおそれがある。
【００５９】
そこで、このような場合には、エンジン１を作動させたまま第１クラッチ４を解放し、第２クラッチ５の伝達トルク容量を運転者の要求駆動力に制御しつつ、モータジェネレータ２の回転数を第２クラッチ５の出力回転数よりも所定回転数高い回転数に制御する「MWSCモード」を設定する。
【００６０】
言い換えると、この「MWSCモード」では、エンジン１とモータジェネレータ２が切り離されているため、それぞれ異なる回転数に設定することができる。そのため、モータジェネレータ２の回転数を、エンジン１の回転数（＝アイドル回転数）よりも低い回転数としつつ第２クラッチ５のスリップ制御を行う（図１３(a)参照）。
【００６１】
この場合、エンジン１が作動状態であるために、モータジェネレータ２にエンジンクランキング分の余剰トルクを残しておく必要がなく、モータジェネレータ２の駆動トルク上限値を引上げることができる。また、第２クラッチ５のスリップ量ΔCL2が小さくなり、第２クラッチ５の発熱量を抑えてクラッチ耐久性を向上することができる。
【００６２】
しかしながら、図１３(b)に示すように、このような「MWSCモード」中に駆動輪がスリップし、自動変速機３の出力軸に変速ギヤ比（ここでは１速ギヤ比）を積算した値（＝駆動輪回転数相当値）が急上昇したとする。すると、スリップ時の第２クラッチ５のスリップ量ΔCL2が小さいため、第２クラッチ５における入出力差回転がなくなり、モータジェネレータ２と駆動輪が直結状態になってしまう（図１３(b)におけるＡ部）。
【００６３】
しかも、第２クラッチ５のスリップ締結を維持するために、モータジェネレータ２の回転数制御を行っているので、モータトルクがそのまま駆動輪に伝わって車両挙動が不安定になってしまう。さらに、車両挙動が不安定になることから、駆動輪はスリップ状態からグリップ状態に復帰できず、車両挙動の不安定状態が増長するおそれがあった。
【００６４】
「MWSC禁止制御作用」
図１４は、実施例１の制御装置が適用されたハイブリッド車両でのMWSCモード時にスリップが発生した時に走行モード制御を行う場合の走行モード・MWSC禁止判定・駆動輪スリップ判定・Eng回転数・MG回転数・車速MG軸換算回転数・駆動輪MG軸換算回転数・CL2温度の各特性を示すタイムチャートである。
【００６５】
実施例１のハイブリッド車両において、Ｇセンサ１７の検出値と、車輪速センサ１８の車輪速加速度平均値等から演算した実加速度との偏差から推定した走行路面の路面勾配が所定値g2以上であると、図７に示すMWSC対応モードマップが選択される。そして、車速が第３設定車速VSP2以下、アクセル開度がAPO2以下になる、すなわち、MWSC対応モードマップにおいて、WSC領域にある運転点（APO,VSP）がWSC⇔MWSC切替線を横切ると、「MWSCモード」に設定される。
【００６６】
この「MWSCモード」では、エンジン１を作動しつつ第１クラッチ４を解放し、モータジェネレータ２の回転数（以下、MG回転数という）を、エンジン１の回転数（以下、Eng回転数という）（＝アイドル回転数）よりも低い回転数としながら第２クラッチ５のスリップ制御を行う。
【００６７】
このとき、車速MG軸換算回転数（以下、車速回転数という）と、駆動輪MG軸換算回転数（以下、駆動輪回転数という）は一致しており、車速の上昇に応じて共に次第に上昇する。なお、MG回転数は、車速回転数及び車輪速回転数よりも所定回転数大きい値に設定されるため、MG回転数も車速の上昇に応じて次第に上昇する。また、第２クラッチ５はスリップ締結状態であるため、摩擦による発熱でクラッチ温度（以下、CL2温度という）が次第に上昇する。ここで、第２クラッチ５におけるスリップ量ΔCL2は小さいため、温度上昇率は低く抑えられる。
【００６８】
時刻t0において、駆動輪がスリップしたとする。このスリップにより、駆動輪回転数は急増する。一方、車速回転数は慣性力が作用しているため変動しない。そのため、駆動輪回転数と車速回転数との間に差回転（速度差ΔV）が生じる。
【００６９】
そして、時刻t1において、この差回転（速度差ΔV）が所定値以上になると、図１１に示すフローチャートのステップＳ１でYES、つまりスリップ検出と判断され、駆動輪スリップ判定がOFF→ONとなる。これにより、ステップＳ２に移行して「MWSCモード」の設定が禁止され、「WSCモード」が設定される。すなわち、時刻t1において、走行モードは「MWSCモード」→「WSCモード」となり、MWSC禁止判定はOFF→ONとなる。
【００７０】
走行モードが「WSCモード」になることで、第１クラッチ４は締結されてエンジン１とモータジェネレータ２が直結状態になる。これにより、Eng回転数（＝アイドル回転数）とMG回転数は一致し、MG回転数が増加する。すなわち、第２クラッチ５におけるスリップ量ΔCL2は増加する。
【００７１】
そのため、駆動輪のスリップによって駆動輪回転数が急増しても、第２クラッチ５と駆動輪が直結状態になることが防止され、第２クラッチ５における差回転（スリップ量ΔCL2）が確保でき、スリップ締結状態を維持することができる。そして、第２クラッチ５がスリップ締結しているので、第２クラッチ５の締結力のみで駆動力を制御でき、第２クラッチ５における伝達トルク容量を維持することができる。これにより、駆動輪はスリップ状態からグリップ状態に復帰でき、車両挙動の乱れを防止することができる。すなわち、駆動輪スリップにより急上昇した駆動輪回転数は次第に減少し、時刻t2´において、車速回転数と再び一致する。
【００７２】
そして、駆動輪回転数と車速回転数が一致した時刻t2´から所定時間経過した時刻t2において、駆動輪がスリップ状態からグリップ状態に復帰したとして駆動輪スリップ判定はON→OFFとなる。
【００７３】
一方、時刻t1において駆動輪のスリップ判定がなされてから、第２クラッチ５におけるスリップ量ΔCL2の増加に伴って第２クラッチ５の発熱量は増加し、温度上昇率が高くなる。
【００７４】
そして、時刻t3において、CL2温度が閾値温度に達すると、図１１に示すフローチャートのステップＳ３でYESと判断され、MWSC禁止判定がON→OFFとなる。これにより、ステップＳ４に移行して、通常の制御が実施される。すなわち、まず走行路面の推定勾配に基づいてモードマップを選択し、選択したモードマップにおける運転点（APO,VSP）の位置から走行モードを設定する。ここでは、MWSC対応モードマップが選択され、運転点（APO,VSP）がMWSC領域にあるため、走行モードは「MWSCモード」に設定される。これにより、第１クラッチ４が解放されると共に、モータジェネレータ２の回転数が少なくなって、第２クラッチ５におけるスリップ量ΔCL2は小さくなる。そして、スリップ量ΔCL2が小さくなることで、CL2温度の温度上昇が抑えられ、緩やかに下降する。
【００７５】
このように、実施例１のハイブリッド車両の制御装置では、「MWSCモード」の設定禁止中にCL2温度が所定値以上上昇したら、「MWSCモード」へのモード移行を可能とする。このため、「MWSCモード」を禁止して「WSCモード」に設定することで、第２クラッチ５におけるスリップ量ΔCL2が増加し、第２クラッチ５の発熱量が増加しても、CL2温度が所定値以上上昇すること防止できる。これにより、第２クラッチ５の発熱による劣化や故障を防止することができる。
【００７６】
次に、効果を説明する。
実施例１のハイブリッド車両の制御装置にあっては、下記に列挙する効果を得ることができる。
【００７７】
(1) エンジン１と、前記エンジン１から駆動輪（タイヤ）７,７への駆動系に設けられ、前記駆動輪７,７の駆動を行うモータ（モータジェネレータ）２と、前記エンジン１と前記モータ２の間に介装され、前記エンジン１と前記モータ２とを断接する第１摩擦要素（第１クラッチ）４と、前記モータ２と前記駆動輪７,７の間に介装され、前記モータ２と前記駆動輪７,７とを断接する第２摩擦要素（第２クラッチ）５と、前記駆動輪７,７のスリップ可能状態を検出するスリップ検出手段（ステップＳ１）と、前記スリップ検出手段（ステップＳ１）により前記駆動輪７,７のスリップ可能状態が検出されたとき、前記第１摩擦要素４を開放すると共に前記第２摩擦要素５をスリップ締結し、前記第２摩擦要素５を介して伝達される駆動力で走行するモータ使用スリップ走行モード（MWSCモード）を禁止し、前記第１摩擦要素４を締結すると共に前記第２摩擦要素５をスリップ締結し、前記第２摩擦要素５を介して伝達される駆動力で走行するエンジン使用スリップ走行モード（WSCモード）に設定する走行モード制御手段（図１１）と、を備える構成とした。
このため、駆動輪のスリップ可能状態を検出したとき、モータと駆動輪の間に介装した第２摩擦要素のスリップ状態を維持することができる。
【００７８】
(2) 前記第２摩擦要素（第２クラッチ）５の温度を検出する第２摩擦要素温度検出手段（CL2温度センサ）１９を備え、前記走行モード制御手段（図１１）は、前記モータ使用スリップ走行モード（MWSCモード）禁止中に、前記第２摩擦要素５の温度（CL2温度）が所定値（閾値温度）以上になったら、前記モータ使用スリップ走行モード（MWSCモード）へのモード移行を可能とする構成とした。
このため、(1)の効果に加え、第２摩擦要素の温度上昇を抑え、発熱によるクラッチ劣化やクラッチ故障を防止することができる。
【００７９】
以上、本発明のハイブリッド車両の制御装置を実施例１に基づき説明してきたが、具体的な構成については、この実施例に限られるものではなく、特許請求の範囲の各請求項に係る発明の要旨を逸脱しない限り、設計の変更や追加等は許容される。
【００８０】
実施例１では、図１１に示すフローチャートのステップＳ３において、第２クラッチ５の温度が閾値温度以上になったら、「MWSCモード」へのモード移行を可能とする通常制御を実施している。しかしながら、これに限らず、図１５に示すフローチャートにおけるステップＳ13のように、車体全体の速度（車体速度＝車速）が所定速度以上になったら、ステップＳ14へ移行して「MWSCモード」へのモード移行を可能とする通常制御を実施するようにしてもよい。すなわち、車体速度を検出する車体速度検出手段（実施例１では車輪速センサ１８）を備え、「MWSCモード」の設定禁止中に、車体速度（車速VSP）が所定値以上になったら、「MWSCモード」へのモード移行を可能としてもよい。ここで、「車速が所定速度以上になる」とは、駆動輪が走行路面に対して十分にグリップし、車両が加速している状態になることである。そのため、駆動輪が走行路面に対して十分にグリップしてから「MWSCモード」へのモード移行を可能とすることになり、車両挙動の乱れをさらに確実に防止することができる。
【００８１】
また、実施例１のハイブリッド車両の制御装置では、図１１のフローチャートのステップＳ１において、駆動輪であるタイヤ７,７のスリップを検出したか否かを判断しているが、これに限らない。図１５に示すステップＳ11のように、駆動輪が実際にスリップしていなくとも、車両状況や走行環境から駆動輪がスリップする可能性を検出したか否かを判断し、スリップする可能性がある場合に、ステップＳ12へ移行して「MWSCモード」を禁止して「WSCモード」を設定してもよい。
【００８２】
ここで、駆動輪のスリップ可能性の有無は、例えば、走行路面が凍結しやすい条件の判定や、路面スリップ対応車両状態へのセット判定に基づいて行う。具体的には、外気温、エンジン水温等の各種温度が所定値以下の場合には、走行路面が凍結しやすいとして、「スリップ可能」と判断する。また、運転手が路面が滑りやすいと判断して、予め車両に搭載された路面スリップに対応した車両機能を有効にした場合には、「スリップ可能」と判断する。
【００８３】
さらに、図１６に示すフローチャートのステップＳ21のように、駆動輪のスリップ又は駆動輪のスリップ可能性のいずれか一方を検出した場合に、ステップＳ22 へ移行して「MWSCモード」を禁止して「WSCモード」を設定してもよい。また、ステップＳ23のように、第２クラッチ５の温度が閾値温度以上になったとき又は車体速度が所定速度以上になったときのいずれか一方の場合に、ステップＳ24へ移行して「MWSCモード」へのモード移行を可能とする通常制御を実施するようにしてもよい。
さらに、駆動輪であるタイヤ７,７のスリップ判断も、駆動輪回転数と車速回転数との差回転に基づいて行うだけでなく、例えば、トラクションコントロール等の予め車両に搭載されたスリップ防止制御が作動したことを検出して、スリップ発生と判断してもよい。
【００８４】
そして、実施例１では、第２クラッチ５を、有段式の自動変速機３に内蔵した摩擦要素の中から選択する例を示した。しかし、自動変速機３とは別に第２クラッチ５を設けても良く、例えば、モータジェネレータ２と変速機入力軸との間に自動変速機３とは別に第２クラッチ５を設ける例や、変速機出力軸と駆動輪であるタイヤ７,７の間に自動変速機３とは別に第２クラッチ５を設ける例も含まれる。
【００８５】
実施例１では、自動変速機３として有段式の自動変速機を用いる例を示したが、自動変速機３とは別に第２クラッチ５を設けた場合であれば、無段変速機を用いることもできる。
【００８６】
実施例１では、制御装置を後輪駆動のハイブリッド車両に対し適用した例を示したが、前輪駆動のハイブリッド車両に対しても適用することができる。要するに、走行モードとして、WSC走行モードとMWSC走行モードを有するハイブリッド車両であれば適用できる。
【符号の説明】
【００８７】
１  エンジン
２  モータジェネレータ（モータ）
３  自動変速機
４  第１クラッチ（第１摩擦要素）
５  第２クラッチ（第２摩擦要素）
７,７  タイヤ（駆動輪）
１８  車輪速センサ（車体速度検出手段）
１９  CL2温度センサ（第２摩擦要素温度検出手段）
【図１】
0005333407.tif 000002
【図２】
0005333407.tif 000003
【図３】
0005333407.tif 000004
【図４】
0005333407.tif 000005
【図５】
0005333407.tif 000006
【図６】
0005333407.tif 000007
【図７】
0005333407.tif 000008
【図８】
0005333407.tif 000009
【図９】
0005333407.tif 000010
【図１０】
0005333407.tif 000011
【図１１】
0005333407.tif 000012
【図１２】
0005333407.tif 000013
【図１３】
0005333407.tif 000014
【図１４】
0005333407.tif 000015
【図１５】
0005333407.tif 000016
【図１６】
0005333407.tif 000017